(57)【要約】      （修正有）【課題】  空気調和装置の天井パネルを着脱式や開閉式の吸込グリルを備えたものと昇降式の吸込グリルを備えたものとで共用できるようにして、コスト面での無駄を抑える。【解決手段】  ケーシング（10）と、ケーシング（10）の下端部に設けられた天井パネル（20）と、天井パネル（20）に装着された吸込グリル（22）とを備えた天井設置型の空気調和装置において、天井パネル（20）を、枠状の天井パネル本体（26）と、この天井パネル本体（26）の内周側に配置されるとともに吸込グリル（22）が装着されるフレーム（27）と、天井パネル本体（26）にフレーム（27）を装着するための取付機構とを備えた構成にする。【選択図】  図３
2006300433.tif 000002
【特許請求の範囲】
【請求項１】
ケーシング（10）と、該ケーシング（10）の下端部に設けられた天井パネル（20）と、天井パネル（20）に装着された吸込グリル（22）とを備えた天井設置型の空気調和装置であって、
上記天井パネル（20）は、枠状の天井パネル本体（26）と、該天井パネル本体（26）の内周側に配置されるとともに上記吸込グリル（22）が装着されるフレーム（27）と、上記天井パネル本体（26）に上記フレーム（27）を装着するための取付機構（28）とを備えていることを特徴とする空気調和装置。
【請求項２】
請求項１において、
フレーム（27）に装着された吸込グリル（22）が、天井パネル本体（26）に対して昇降する昇降式の吸込グリル（22）であることを特徴とする空気調和装置。
【請求項３】
請求項１において、
フレーム（27）に装着された吸込グリル（22）が、天井パネル本体（26）に取り付けられる着脱式または開閉式の吸込グリル（22）であることを特徴とする空気調和装置。
【請求項４】
請求項１において、
天井パネル本体（26）と取付機構（28）とは、天井パネル本体（26）に対して昇降する昇降式の吸込グリル（22）を備えたフレーム（27）と、天井パネル本体（26）に取り付けられる着脱式または開閉式の吸込グリル（22）を備えたフレーム（27）とを交換可能に構成されていることを特徴とする空気調和装置。
【請求項５】
請求項１において、
フレーム（27）に電装品ボックス（40）が設けられていることを特徴とする空気調和装置。
【発明の詳細な説明】
【技術分野】
【０００１】
本発明は、天井設置型の空気調和装置に関し、特に、吸込グリルを備えた天井パネルの構造に関するものである。
【背景技術】
【０００２】
従来より、例えば天井埋込型空気調和装置において、昇降式の吸込グリルを備え、この吸込グリルを下降させてフィルタのメンテナンス作業を行えるようにしたものがある（例えば、特許文献１参照）。この空気調和装置は、下端部が開放されたケーシングと、このケーシングの下端部の開口に取り付けられる天井パネルとを有している。そして、上記天井パネルの中央部に昇降式の吸込グリルが取り付けられている。
【０００３】
上記天井パネルには吸込グリルを昇降させるための駆動機構が設けられている。駆動機構は、天井パネルの隅角部の複数箇所に配置され、それぞれ、モータと、このモータに連結されたボビンとを備えている。ボビンは、ワイヤロープを巻き取るものであり、ワイヤロープの一端が連結されている。また、ワイヤロープの他端はガイドローラを介して吸込グリルに連結されている。
【０００４】
以上の構成において、モータを正転させるとワイヤロープをボビンに巻き取って吸込グリルを上昇させることができ、モータを逆転させるとワイヤロープをボビンから繰り出して吸込グリルを下降させることができる。
【特許文献１】特開２００１−１５３３９４号公報
【発明の開示】
【発明が解決しようとする課題】
【０００５】
ところで、空気調和装置の製品仕様には、昇降式の吸込グリルを備えた天井パネルを有するものの他に、着脱式や開閉式の吸込グリルを備えた天井パネルを有するものがあり、着脱式／開閉式から昇降式に製品仕様を変更する場合、天井パネル全体の設計変更をする必要があった。
【０００６】
このように吸込グリルに関する製品仕様を着脱式／開閉式から昇降式に変更する場合、吸込グリルに昇降機能を持たせるための駆動機構が新たに必要となるため、該駆動機構を設置するために、吸込口の周りに位置する吹出部の構成まで変更することが必要となる。したがって、着脱式／開閉式と昇降式とで部品を共用することができず、新たな部品を追加するための設計工数が必要になったり、製造ラインを変更することが必要になったりして、コスト面での無駄が生じてしまう。
【０００７】
本発明は、かかる点に鑑みてなされたものであり、その目的は、空気調和装置の天井パネルを着脱式／開閉式の吸込グリルを備えたものと昇降式の吸込グリルを備えたものとで共用できるようにして、コスト面での無駄を抑えることである。
【課題を解決するための手段】
【０００８】
第１の発明は、ケーシング（10）と、該ケーシング（10）の下端部に設けられた天井パネル（20）と、天井パネル（20）に装着された吸込グリル（22）とを備えた天井設置型の空気調和装置を前提としている。
【０００９】
そして、この空気調和装置は、上記天井パネル（20）が、枠状の天井パネル本体（26）と、該天井パネル本体（26）の内周側に配置されるとともに上記吸込グリル（22）が装着されるフレーム（27）と、上記天井パネル本体（26）に上記フレーム（27）を装着するための取付機構（28）とを備えていることを特徴としている。
【００１０】
この第１の発明では、天井パネル本体（26）の内周側に配置されるフレーム（27）に吸込グリル（22）が装着されているので、吸込グリル（22）を昇降式と着脱式／開閉式とで変更する場合には、昇降式に対応したフレーム（27）か着脱式／開閉式に対応したフレーム（27）を選択し、フレーム（27）の交換を行うことで対応できる。フレーム（27）の交換は取付機構（28）によって簡単に行うことができる。
【００１１】
第２の発明は、第１の発明において、フレーム（27）に装着された吸込グリル（22）が、天井パネル本体（26）に対して昇降する昇降式の吸込グリル（22）であることを特徴としている。
【００１２】
この第２の発明では、フレーム（27）には昇降式の吸込グリル（22）が装着されている。したがって、フィルタのメンテナンス作業は、昇降グリルを下降させて簡単に行うことができる。
【００１３】
第３の発明は、第１の発明において、フレーム（27）に装着された吸込グリル（22）が、天井パネル本体（26）に取り付けられる着脱式または開閉式の吸込グリル（22）であることを特徴としている。
【００１４】
この第３の発明では、フレーム（27）には着脱式／開閉式の吸込グリル（22）が装着されている。したがって、フィルタのメンテナンス作業は、脚立などを使って天井パネル（20）の吸込グリル（22）を着脱するか開閉して行うことができる。
【００１５】
第４の発明は、第１の発明において、天井パネル本体（26）と取付機構（28）とが、天井パネル本体（26）に対して昇降する昇降式の吸込グリル（22）を備えたフレーム（27）と、天井パネル本体（26）に取り付けられる着脱式または開閉式の吸込グリル（22）を備えたフレーム（27）とを交換可能に構成されていることを特徴としている。
【００１６】
この第４の発明では、昇降式の吸込グリル（22）を備えたフレーム（27）と、着脱式または開閉式の吸込グリル（22）を備えたフレーム（27）とを、取付機構（28）を用いることによって天井パネル本体（26）に対して交換することができる。例えば、着脱式／開閉式の吸込グリル（22）が装着された空気調和装置で、天井高さが高くてフィルタのメンテナンス作業が困難であるような場合は、フレーム（27）ごと昇降式の吸込グリル（22）に交換すればよく、逆に昇降式の吸込グリル（22）が装着された空気調和装置で、室内に設置されている事務機器などによる制限があって十分な昇降代がとれないような場合は、フレーム（27）ごと着脱式／開閉式の吸込グリル（22）に交換すればよい。
【００１７】
第５の発明は、第１の発明において、フレーム（27）に電装品ボックス（40）が設けられていることを特徴としている。ここで言う電装品ボックス（40）は、吸込グリル（22）が昇降式である場合の駆動機構（30）に電気的に接続されるものであってもよいし、この駆動機構（30）以外で空気調和装置に設けられるその他の電動部品に電気的に接続されるものであってもよい。
【００１８】
一般に、天井設置型の空気調和装置では、ケーシング（10）の内部には、吸込口（吸込グリル（22））の上方に位置するファン（遠心送風機）と、その周囲に位置する熱交換器とが設けられ、天井パネル（20）における吸込口の周囲には吹出口が設けられている。そして、室内空気は、ファンによって吸込口からケーシング（10）内に吸い込まれた後、熱交換器を流れる際に冷却または加熱され、吹出口から吹き出される。
【００１９】
ここで、上記第５の発明ではフレーム（27）に電装品ボックス（40）が設けられている。フレーム（27）は吸込グリル（22）の周囲に位置しており、熱交換器に対しては空気流れの上流側に位置している。電装品ボックス（40）が熱交換器に対して空気流れの下流側に位置していると電気部品が冷却されたり加熱されたりすることになるが、この第５の発明では電気部品が加熱されたり冷却されたりするのを防止できる。
【発明の効果】
【００２０】
本発明によれば、上記天井パネル（20）が、枠状の天井パネル本体（26）と、該天井パネル本体（26）の内周側に配置されるとともに上記吸込グリル（22）が装着されるフレーム（27）と、上記天井パネル本体（26）に上記フレーム（27）を装着するための取付機構（28）とを備えているので、吸込グリル（22）を昇降式と着脱式／開閉式とで変更する場合には、昇降式に対応したフレーム（27）か着脱式／開閉式に対応したフレーム（27）を選択し、天井パネル本体（26）は変更しないままで、フレーム（27）を交換することで対応できる。その際、フレーム（27）の交換は取付機構（28）によって簡単に行うことが可能である。
【００２１】
したがって、着脱式／開閉式から昇降式に製品仕様を変更する場合でも、天井パネル（20）全体の設計変更をする必要がなく、吸込口の周りに位置する吹出部の構成は変更不要である。そして、着脱式／開閉式と昇降式とで部品を共用できるので、新たな部品を追加するための設計工数追加や製造ラインの変更などが不要となり、コスト面での無駄を抑えられる。また、着脱式／開閉式を昇降式に変更する場合、天井パネル（20）全体が不要になるわけではないため経済的である。
【００２２】
さらに、吸込グリル（22）を着脱式／開閉式と昇降式とで変更する場合に、従来は吹出部の変更が必要であるため、露付きの確認が必要であったのが、本発明によれば吹出部が変更されないので露付きの確認も不要であり、開発費を削減できる。
【００２３】
また、上記第２の発明によれば、フレーム（27）に装着された吸込グリル（22）が、天井パネル（20）に対して昇降する昇降式の吸込グリル（22）であるため、フィルタのメンテナンス作業を容易に行うことができる。
【００２４】
また、上記第３の発明によれば、フレーム（27）に装着された吸込グリル（22）が、天井パネル（20）に保持される着脱式／開閉式の吸込グリル（22）であるため、フィルタのメンテナンス作業は従来通り脚立などを用いて行うことができる。
【００２５】
また、上記第４の発明によれば、天井パネル本体（26）と取付機構（28）が、天井パネル本体（26）に対して昇降する昇降式の吸込グリル（22）を備えたフレーム（27）と、天井パネル本体（26）に取り付けられる着脱式または開閉式の吸込グリル（22）を備えたフレーム（27）とを交換可能であるため、昇降式の吸込グリル（22）と着脱式または開閉式の吸込グリル（22）とを天井パネル本体（26）に対してフレーム（27）ごと簡単に交換することができる。このため、着脱式／開閉式の吸込グリル（22）が装着された空気調和装置で着脱式／開閉式のものでは作業が不便な場合には、昇降式の吸込グリル（22）にフレーム（27）ごと簡単に交換できるし、昇降式の吸込グリル（22）が装着された空気調和装置で昇降式のものが不要である場合には、着脱式／開閉式の吸込グリル（22）にフレーム（27）ごと簡単に交換できる。また、その際、天井パネル本体（26）は取り替え不要であるため、部品や作業の無駄を抑えられる。
【００２６】
また、上記第５の発明によれば、フレーム（27）に電装品ボックス（40）を設けているため、電装品ボックス（40）内の電気部品が必要以上に冷却されたり加熱されたりすることがない。したがって、誤動作のおそれを防止できる。
【発明を実施するための最良の形態】
【００２７】
以下、本発明の実施形態を図面に基づいて詳細に説明する。
【００２８】
この実施形態の空気調和装置（1）は天井埋込型の空気調和装置（1）であり、図１はこの空気調和装置（1）を下方から見た斜視図である。この空気調和装置（1）は、直方体の箱形で下端部が開放したケーシング（10）と、ケーシング（10）の下端部に設けられた天井パネル（20）とを備えている。ケーシング（10）には天井に設置するためのブラケット（11）が４箇所に設けられている。また、天井パネル（20）の中央部には吸込口（21）が形成され、該天井パネル（20）の吸込口（21）には吸込グリル（22）が装着されている。
【００２９】
この空気調和装置（1）には２枚の吸込グリル（22）が装着されており、２枚がケーシング（10）の長手方向に並べて配置されている。上記ケーシング（10）内には、該吸込グリル（22）の上方で該吸込グリル（22）と重なるようにフィルタ（23）（図５参照）が設けられている。また、天井パネル（20）には、吸込グリル（22）の周囲に吹出口（24）が配置されている。この吹出口（24）には、空気の吹出方向を調整するための風向調整フラップ（25）が設けられている。
【００３０】
図２は、上記吸込グリル（22）を取り外した状態における空気調和装置（1）の分解斜視図である。上記天井パネル（20）は、枠状の天井パネル本体（26）と、該天井パネル本体（26）の内周側に配置されるフレーム（27）と、上記天井パネル本体（26）に上記フレーム（27）を装着するための取付機構（28）とを備えている。また、上記吸込グリル（22）は上記フレーム（27）に装着されるように構成されている。
【００３１】
上記フレーム（27）は、天井パネル本体（26）の内側に嵌合する枠状の部材で、２本の長辺部材（27a）と２本の短辺部材（27b）とが長方形に組み合わされたものである。また、各長辺部材（27a）を２等分する位置には、短辺部材（27b）と平行に仕切部材（27c）が設けられている。
【００３２】
上記取付機構（28）は、例えば雌ねじを有する締結部材で構成することができる。このようにすると、フレーム（27）を天井パネル本体（26）に対してボルトによって簡単に着脱することができる。
【００３３】
図２に示しているように、上記ケーシング（10）内には、室内空気を吸込口（21）から吸い込んだ後に吹出口（24）から吹き出すための２台のファン（12）が、各吸込グリル（22）の上方に配置されている。また、図示していないが、上記ケーシング（10）内におけるファン（12）の周囲には室内熱交換器が配置されている。この室内熱交換器は、図示しない室外ユニットの室外熱交換器と冷媒配管を介して接続されており、該室内熱交換器を室内空気が通過することによって、室内空気が冷却または加熱される。
【００３４】
上記吸込グリル（22）は、天井パネル本体（26）に対して昇降する昇降式の吸込グリル（22）であり、図３には、この吸込グリル（22）が下降した状態を示している。上記フレーム（27）には、吸込グリル（22）の昇降駆動を行う駆動機構（30）が複数箇所に設けられている。これらの駆動機構（30）は、各吸込グリル（22）の長辺部材（27a）に２つずつ、合計４箇所に配置されている。そして、各駆動機構（30）は、モータを保持した駆動ユニット（31）と、モータの回転軸に固定されたボビン（図示せず）とを有している。このボビンはワイヤロープ（32）を巻き取るものであり、ワイヤロープ（32）の一端が連結されている。
【００３５】
図４（Ａ）は、吸込グリル（22）を上方から見た斜視図であり、図４（Ｂ）は吸込グリル（22）とワイヤロープ（32）との連結部を示す拡大斜視図である。図示するように、ワイヤロープ（32）の先端にはＳ字形状のフック（33）が取り付けられている。また、各吸込グリル（22）には、両端の２箇所に、このフック（33）を引っかけるための係止溝（34a）を有する連結金具（34）が設けられている。そして、上記フック（33）を連結金具（34）の係止溝（34a）に引っかけることにより、ワイヤロープ（32）と吸込グリル（22）とが連結される。
【００３６】
上記構成の駆動機構（30）では、モータを正転させるとワイヤロープ（32）をボビンに巻き取って吸込グリル（22）を上昇させることができ（図１参照）、モータを逆転させるとワイヤロープ（32）をボビンから繰り出して吸込グリル（22）を下降させることができる（図３参照）。
【００３７】
上記フレーム（27）には、図２に示すように電装品ボックス（40）が取り付けられている。上記電装品ボックス（40）は、フレーム（27）の短辺部材（27b）に１つずつ取り付けられており、それぞれが各短辺部材（27b）のほぼ中央の位置に設けられている。そして、図面上で仕切部材（27c）の右側に配置された電装品ボックス（40）には、右側の吸込グリル（22）を駆動する２つの駆動機構（30）が電気配線部（42）により並列に接続され、仕切部材（27c）の左側に配置された電装品ボックス（40）には、左側の吸込グリル（22）を駆動する２つの駆動機構（30）が電気配線部（42）により並列に接続されている。
【００３８】
上記駆動機構（30）は、リモートコントローラ（図示せず）を使用して遠隔操作をするように構成されている。このため、フレーム（27）には、リモコン信号受信部（41）が設けられている。リモコン信号受信部（41）は図面上で右側の短辺部材（27b）に１つだけ設けられており、このリモコン信号受信部（41）に対して上記電装品ボックス（40）が電気配線部（43）により並列に接続されている。なお、電気配線部（43）は、図では便宜上仕切部材（27c）を横切るような状態で表しているが、製品では、フレーム（27）の中の空間を横切るような配置ではなく、フレーム（27）の長辺部材（27a）と短辺部材（27b）に沿って配置される。
【００３９】
一方、この実施形態の空気調和装置（1）は、上述した昇降式の吸込グリル（22）を開閉式の吸込グリル（22）に取り替えることができる。このため、天井パネル本体（26）と取付機構（28）とは、天井パネル本体（26）に対して昇降する昇降式の吸込グリル（22）を備えたフレーム（27）と、天井パネル本体（26）に取り付けられる着脱式または開閉式の吸込グリル（22）を備えたフレーム（27）とを交換可能に構成されている。図５は、空気調和装置（1）に開閉式の吸込グリル（22）を取り付けるとともに、この吸込グリル（22）が開いた状態を示す斜視図である。
【００４０】
昇降式の吸込グリル（22）を開閉式の吸込グリル（22）に変更するには、上記天井パネル本体（26）は変更せずに、フレーム（27）を開閉式の吸込グリル（22）に対応したものに取り替えて、このフレーム（27）に開閉式の吸込グリル（22）を取り付けるだけでよい。開閉式の吸込グリル（22）に対応したフレーム（27）には、上記駆動機構（30）、電装品ボックス（40）、及びリモコン信号受信部（41）は設けられていない。ただし、フレーム（27）には、上記駆動機構（30）以外で空気調和装置（1）に設けられるその他の電動部品に接続される電装品ボックスを設けていてもよい。
【００４１】
この空気調和装置（1）では、昇降式の吸込グリル（22）を装着した状態（図１の状態）において、リモートコントローラを用いて図３のように該吸込グリル（22）を下降させることにより、フィルタ（23）のメンテナンス作業を行う。このとき、リモートコントローラの一度の操作で２枚の吸込グリル（22）を同時に下降させることができるため、メンテナンス作業を簡単に行える。また、吸込グリル（22）をケーシング（10）に格納する際も、リモートコントローラの一度の操作で２枚の吸込グリル（22）を同時に上昇させることができる。
【００４２】
ここで、従来より、吸い込み面積をかせぐために空気調和装置（1）に２枚以上の昇降式の吸込グリル（22）を設けた場合は、各吸込グリル（22）に対応して、該吸込グリル（22）を昇降させるための駆動機構（30）が設けられるとともに、リモコン信号受信部（41）や電装品ボックス（40）も吸込グリル（22）ごとに別々に設けられていた。したがって、１枚の天井パネル（20）に複数の吸込グリル（22）を備えた空気調和装置（1）においては、ほぼ同時期にフィルタ（23）のメンテナンス時期がやってくるにもかかわらず、吸込グリル（22）ごとにリモートコントローラの操作を行い、吸込グリル（22）を一つずつ別々に下降させてフィルタ（23）のメンテナンス作業を行っていた。その結果、フィルタ（23）のメンテナンス時の作業性が悪いという問題があった。
【００４３】
これに対して、本実施形態では、２枚の吸込グリル（22）を同時に昇降させることができるため、フィルタ（23）のメンテナンス時の作業性を高めることが可能となる。
【００４４】
また、この実施形態では、天井パネル本体（26）の内周側に配置されるフレーム（27）に吸込グリル（22）が装着されているので、吸込グリル（22）を昇降式と開閉式とで変更する場合には、昇降式に対応したフレーム（27）か開閉式に対応したフレーム（27）を選択し、天井パネル本体（26）は変更しないままでフレーム（27）の交換を行えばよく、フレーム（27）の交換を取付機構（28）によって簡単に行うことができる。
【００４５】
したがって、吸込グリル（22）の製品仕様を開閉式から昇降式に変更する場合でも、天井パネル（20）の全体の設計変更をする必要がなく、吸込口（21）の周りに位置する吹出部の構成は変更不要である。そして、開閉式と昇降式とで部品を共用できるので、新たな部品を追加するための設計工数追加や製造ラインの変更などが不要となり、コスト面での無駄を抑えられる。また、開閉式を昇降式に変更する場合、天井パネル（20）の全体が不要になるわけではないため経済的である。
【００４６】
さらに、吸込グリル（22）を開閉式と昇降式とで変更する場合に、従来は吹出部の変更が必要であるため、露付きの確認が必要であったが、本実施形態によれば吹出部が変更されないので露付きの確認も不要であり、開発費を削減できる。
【００４７】
また、フレーム（27）に昇降式の吸込グリル（22）を装着した場合、フィルタ（23）のメンテナンス作業は、昇降グリルを下降させて簡単に行うことができる。一方、室内に設置されている事務機器などによる制限があって十分な昇降代がとれないような場合は、フレーム（27）ごと開閉式の吸込グリル（22）に交換するとよい。
【００４８】
逆に、フレーム（27）に開閉式の吸込グリル（22）を装着している場合、フィルタ（23）のメンテナンス作業は、脚立などを使って天井パネル（20）の吸込グリル（22）を開閉して行うことができる。その際、天井高さが高くてフィルタ（23）のメンテナンス作業が困難であるような場合は、フレーム（27）ごと昇降式の吸込グリル（22）に交換するとよい。
【００４９】
ところで、本実施形態の空気調和装置（1）では、ケーシング（10）の内部には、吸込口（21）（吸込グリル（22））の上方に位置するファン（12）（遠心送風機）と、その周囲に配置された熱交換器とが設けられ、天井パネル（20）における吸込口（21）の周囲には吹出口（24）が設けられている。そして、室内空気は、ファン（12）によって吸込口（21）からケーシング（10）内に吸い込まれた後、熱交換器を順に流れる際に冷却または加熱され、吹出口（24）から吹き出される。
【００５０】
この構成において、本実施形態ではフレーム（27）に電装品ボックス（40）が設けられている。フレーム（27）は吸込グリル（22）の周囲に位置しており、熱交換器に対しては空気流れの上流側に位置している。電装品ボックス（40）が熱交換器に対して空気流れの下流側に位置していると電気部品が冷却されたり加熱されたりすることになるが、この実施形態では電気部品が加熱されたり冷却されたりするのを防止できる。したがって、装置の誤動作のおそれを防止できる。
【００５１】
《その他の実施形態》
上記実施形態については、以下のような構成としてもよい。
【００５２】
例えば、上記実施形態では天井埋込型の空気調和装置（1）について説明したが、本発明は天井吊下型の空気調和装置（1）にも適用可能である。
【００５３】
また、上記実施形態では２枚（複数枚）の吸込グリル（22）を備えた空気調和装置（1）について説明したが、本発明は吸込グリル（22）が１枚の空気調和装置（1）であっても適用できる。
【００５４】
また、上記実施形態では、開閉式の吸込グリル（22）に代えて着脱式の吸込グリル（22）を用いてもよい。
【００５５】
なお、以上の実施形態は、本質的に好ましい例示であって、本発明、その適用物、あるいはその用途の範囲を制限することを意図するものではない。
【産業上の利用可能性】
【００５６】
以上説明したように、本発明は、天井設置型の空気調和装置における天井パネルの構造について有用である。
【図面の簡単な説明】
【００５７】
【図１】本発明の実施形態に係る空気調和装置を下方から見た斜視図である。
【図２】吸込グリルを取り外した状態における空気調和装置の分解斜視図である。
【図３】昇降式の吸込グリルが下降した状態の空気調和装置を示す斜視図である。
【図４】（Ａ）は吸込グリルを上方から見た斜視図であり、（Ｂ）は吸込グリルとワイヤロープとの連結部を示す拡大斜視図である。
【図５】開閉式の吸込グリルが開いた状態の空気調和装置を示す斜視図である。
【符号の説明】
【００５８】
1   空気調和装置
10  ケーシング
20  天井パネル
22  吸込グリル
26  天井パネル本体
27  フレーム
22  吸込グリル
28  取付機構
40  電装品ボックス
【図１】
2006300433.tif 000003
【図２】
2006300433.tif 000004
【図３】
2006300433.tif 000005
【図４】
2006300433.tif 000006
【図５】
2006300433.tif 000007